(57)【特許請求の範囲】
【請求項１】
発光素子を実装した帯状の基板と；
この基板の前面側を覆うように該基板の短手方向に湾曲した前面部を有する透光性のカバーと；
このカバーの長手方向端部を塞ぐ蓋体と；を有し、
上記蓋体は、上記カバーの弾性変形を伴って上記端部に挿入される挿入部分を有し、この挿入部分は、上記カバーの前面部より湾曲した湾曲面を有する、照明器具。
【請求項２】
上記蓋体は、上記カバーより剛性の高い透光性を有する材料により形成されている、請求項１の照明器具。
【請求項３】
上記蓋体は、上記カバーと同じ材料により形成され、上記カバーより剛性の高い構造を有する、請求項１の照明器具。
【発明の詳細な説明】
【技術分野】
【０００１】
本発明の実施形態は、光源部の前面側に透光性を有するカバーを備え、カバーの端部を蓋体で閉塞して光源部を密閉した照明器具に関する。
【背景技術】
【０００２】
近年、使用寿命が長く消費電力の少ない照明器具として、発光ダイオード（ＬＥＤ）を光源に用いた照明器具が普及されつつある。ＬＥＤは、基板に複数個並べて実装され、この基板が器具本体に取り付けられる。そして、基板の前面側、すなわち光の取り出し側に、透光性を有するカバーが取り付けられる。
【０００３】
一般に、照明器具には、虫が集まってくることが知られており、カバー内への虫の侵入を防止するための構造が必要となる。上述したＬＥＤを実装した基板を光源部とした照明器具では、カバーの端部を蓋体で塞ぐことで、虫の侵入を防止している。
【先行技術文献】
【特許文献】
【０００４】
【特許文献１】特開２０１１−２５８４２０号公報
【発明の概要】
【発明が解決しようとする課題】
【０００５】
従来は、蓋体をカバーの端部に密着させて取り付けるため、蓋体を弾性変形可能な比較的柔らかいシリコーンゴムなどにより形成し、この蓋体を弾性変形させてカバーの端部に圧入している。
【０００６】
しかし、柔らかい蓋体をカバーの端部に圧入した場合、外部から蓋体に機械的な衝撃が加えられると、蓋体が変形してカバーの端部から外れ易い。このため、従来は、蓋体をカバーの端部に接着する必要があり、その分、照明器具の組み立て工数が多くなり、組み立て作業が面倒であった。
【０００７】
よって、光源部を覆うカバーの端部に蓋体を容易且つ確実に取り付けできる照明器具の開発が望まれている。
【課題を解決するための手段】
【０００８】
実施形態に係る照明器具は、発光素子を実装した帯状の基板と、この基板の前面側を覆う透光性のカバーと、このカバーの長手方向端部を塞ぐ蓋体と、を有する。カバーは、基板の短手方向に湾曲した前面部を有する。蓋体は、カバーより剛性が高く、カバーの弾性変形を伴ってカバーの端部に挿入される挿入部分を有する。この挿入部分は、カバーの前面部より湾曲した湾曲面を有する。
【０００９】
このため、蓋体の挿入部分をカバーの端部に挿入すると、カバーの端部が挿入部分の湾曲面に倣ってさらに湾曲するように弾性変形して前面側に膨出する。これにより、蓋体がカバーの端部に取り付けられ、接着剤が不要となる。
【発明の効果】
【００１０】
本発明によると、光源部を覆うカバーの端部に対する蓋体の容易且つ確実な取り付けが期待できる。
【図面の簡単な説明】
【００１１】
【図１】図１は、照明器具の実施形態であるベースライトの外観斜視図である。
【図２】図２は、図１のベースライトを前面側から見た平面図である。
【図３】図３は、図１のベースライトを分解した分解斜視図である。
【図４】図４は、図２のＹ−Ｙ線に沿ってベースライトを切断した断面図である。
【図５】図５は、図４のＡ部分を拡大した部分拡大断面図である。
【図６】図６は、図１のベースライトの一端側の１つの側板および２つの蓋体を取り除いた状態の側面図である。
【図７】図７は、図１のベースライトに組み込まれた１つの光源部をその前面側から見た平面図（ａ）、およびこの光源部の基板にレジスト層を設ける前の配線パターン層を示す平面図（ｂ）である。
【図８】図８は、図１のベースライトのカバー部材の一端を閉塞する蓋体、および側板を示す分解斜視図である。
【図９】図９は、図８のカバー部材の端部を部分的に拡大した部分拡大斜視図である。
【図１０】図１０は、図８の蓋体を背面側から見た斜視図である。
【図１１】図１１は、図１０の蓋体を前面側から見た斜視図である。
【発明を実施するための形態】
【００１２】
以下、実施形態に係る照明器具について、図１乃至図８を参照して説明する。なお、各図において、同一部分には同一符号を付し、重複した説明は省略する。
【００１３】
図１には、照明器具の一例として、天井面Ｃへ直付けされるベースライト１００の外観斜視図を示してある。ベースライト１００は、細長い扁平な略長方形状に形成されている。以下の説明では、図示下方、すなわち光の取り出し側を前面側と称し、図示上方、すなわち天井面Ｃに向かう方向を背面側と称する。
【００１４】
図３に示すように、ベースライト１００は、装置本体１と、この装置本体１に取り付けられた細長い複数の帯状の光源部２と、複数の光源部２を覆う乳白色で且つ透光性を有する細長いチューブ状のカバー部材３（カバー）と、光源部２を点灯制御する点灯装置４と、装置本体１の中央部に取り付けられた断面略Ｖ字状のセンターカバー５と、２つの側板６と、を備えている。このようなベースライト１００は、前面側を光の照射面とし、背面側を天井面Ｃへの取付面としている。
【００１５】
図３及び図４に示すように、装置本体１は、細長い略矩形板状のシャーシであり、溶融亜鉛めっき鋼板等の熱伝導性を有する金属板を形状加工して形成されている。この装置本体１は、ベースライト１００の複数の構成部材を取り付ける機能と、光源部２で発生する熱を逃がすための放熱部材としての機能と、を担う。
【００１６】
装置本体１は、中央部に平らな天板面１１を有し、その長手方向に沿った両端縁に、複数の光源部２の背面を接触させるための細長い２つの配設部１２、１２を有する。各配設部１２は、装置本体１の一部を前面側に膨出させて一体に形成され、光源部２の背面を接触させ熱的に結合させる細長い平坦面を有する。本実施形態では、配設部１２は、３つの光源部２をつなげた長さを超える長さを有する。
【００１７】
また、装置本体１の天板面１１の長手方向両端近くには、それぞれ、取付孔１１ａが形成されている。この取付孔１１ａには、天井の構造体に設けられた一対の取付ボルト（図示せず）が背面側から貫通されて、装置本体１の前面側に配置した図示しないナットで締結することで、装置本体１が天井面Ｃに固設されるようになっている。
【００１８】
光源部２は、図２乃至図４、図７に示すように、細長い矩形帯状の基板２１と、この基板２１の表面に実装された複数の発光素子２２と、各発光素子２２を覆う蛍光体層２３と、を有する。なお、図２では、説明を分かり易くするため、一方（図示上側）のカバー部材３を透明化して示してある。また、図７（ｂ）において、発光素子２２を実装する前の基板２１の配線パターン層２１ａを示している。
【００１９】
基板２１は、絶縁材である例えば、ガラスエポキシ樹脂（ＦＲ−４）等の材料で細長い長方形状に形成されている。表面側には銅箔で形成された配線パターン層２１ａが施されている（図７ｂ参照）。また、配線パターン層２１ａの上には、適宜レジスト層２１ｂ（図７ａ参照）が施される。なお、基板２１の材料には、セラミックス材料、合成樹脂材料又は各発光素子２２の放熱性を高めるうえでアルミニウム等の熱伝導性が良好で放熱性に優れたべース板の一面に絶縁層が積層された金属製のべース基板を使用することができ、格別その材料が限定されるものではない。
【００２０】
配線パターン層２１ａは、図７（ｂ）に示すように、例えば、略矩形状の複数の配線パッドを基板２１の長手方向に沿って互いに隣接するように２列に並べて形成されている。各配線パッドは、それぞれ、発光素子２２に１対１で対応して設けられている。この配線パターン層２１ａは、各発光素子２２を電気的に接続する導電層であり、また、各発光素子２２から発生する熱を拡散し放熱する放熱層としての機能を併せ持っている。
【００２１】
基板２１の表層には、発光素子２２の実装領域や部品の実装部分を除いて、ほとんど全面に反射率の高い白色のレジスト層２１ｂが積層されている。これにより発光素子２２が放射した光のうち、横方向へ向かった光が、反射率の高い白色のレジスト層２１ｂの表面で反射されて前面側へ放射される。
【００２２】
複数の発光素子２２は、ＬＥＤのベアチップからなる。ＬＥＤのベアチップには、例えば、白色系の光を光源部２で発光させるために、青色の光を発するものが用いられている。このＬＥＤのベアチップは、シリコーン樹脂系の絶縁性接着剤を用いて配線パターン層２１ａ上に接着され、ボンディングワイヤによって配線パターン層２１ａに電気的に接続されている。
【００２３】
蛍光体層２３は、透光性合成樹脂、例えば、透明シリコーン樹脂製であり、ＹＡＧ：Ｃｅ等の蛍光体を適量含有している。蛍光体層２３は、個々の発光素子２２を発光素子２２ごとに被覆するように高さ寸法の小さい略円筒状をなしている。蛍光体は、発光素子２２が発する光で励起されて、発光素子２２が発する光の色とは異なる色の光を放射する。本実施形態では、発光素子２２が青色光を発するため、光源部２として白色光を出射できるように、蛍光体には青色の光とは補色の関係にある黄色系の光を放射する黄色蛍光体が使用されている。
【００２４】
なお、蛍光体層２３の形状は、個々の発光素子２２を被覆できれば、特段限定されるものではなく、山形の形状や複数の発光素子２２を連続的に覆うライン状の形態を適用することができる。また、発光素子２２としては、表面実装型のＬＥＤパッケージを用いるようにしてもよく、実装方式や形式は、格別限定されるものではない。
【００２５】
さらに、本実施形態では、配線パターン層２１ａは、放熱層として機能するものであるが、配線パターン層２１ａと放熱層とは、別個に形成するようにしてもよい。この場合、放熱層上に発光素子２２が接着されて配置されるが、放熱層は電気的には接続されず、発光素子２２の実装パッドとして主として放熱作用を促進する役目を担うこととなる。
【００２６】
上記構造の光源部２は、その長手方向に連結されてカバー部材３に装着される。本実施形態では、３つの光源部２が連結されて１つのカバー部材３内に装着され、合計６つの光源部２がベースライト１００に組み込まれている。
【００２７】
各光源部２の隣接した端部同士は、図２に示す配線Ｚを介して接続される。また、連結された光源部２のうち両端の光源部２の少なくとも一方の端部からも配線Ｚが導出される。そして、この端部から導出された配線Ｚが、装置本体1に取り付けられた点灯装置４に接続され、各光源部２への給電が可能となる。この給電用の配線Ｚの引き回し構造については後で説明する。
【００２８】
カバー部材３は、各光源部２の前面側を覆う前面部３ａ、および各光源部２の裏面を露出するスリット状の開放部３１を有する。このため、カバー部材３を装置本体１に取り付けることで、この開放部３１を介して、各光源部２の基板２１の裏面が、装置本体１における配設部１２の平坦面に接触し、基板２１が装置本体１に熱的に結合されるようになっている。
【００２９】
カバー部材３は、アクリル樹脂やポリカーボネート樹脂等の透光性を有する絶縁性の材料で形成される。本実施形態では、カバー部材３をポリカーボネートの押出成形によって形成した。カバー部材３は、図３乃至図５に示すように、長尺のチューブ状に形成されていて、断面形状が左右対称であり、装置本体１の両側に形成された配設部１２に取り付けられる。カバー部材３は、配設部１２と略同じ長さを有する。なお、カバー部材３の長手方向両端には、光源部２を挿通するための開口３２が設けられている。
【００３０】
例えば図５に示すように、開放部３１の長手方向に沿う縁部には、互いに対向して開放する一対の保持溝３３が全長に亘って形成されている。これら一対の保持溝３３は、長手方向に沿う前面側支持部３３ａ及び背面側支持部３３ｂの間に形成されている。また、保持溝３３の外側には、断面略コ字状であって内側に開放する一対の係止部３４が長手方向の全長に亘って形成されている。
【００３１】
カバー部材３の互いに対向する一対の保持溝３３には、複数の光源部２の各基板２１の長手方向に沿った両端縁が挿通される。具体的には、図３に示すように、３つの光源部２が配線Ｚで接続されてカバー部材３の一方の開口３２から挿入され、各光源部２の基板２１の長手方向に沿った両端縁が一対の保持溝３３によって案内されて保持される。これにより光源部２は、カバー部材３によって保持されて、カバー部材３と一体化される。光源部２とカバー部材３が一体化された状態における前面側支持部材３３ａと基板２１の長手方向に延びた端縁との重なり具合は、図７（ａ）に図示してある。
【００３２】
図８に示すように、カバー部材３の長手方向両端にある開口３２には、この開口３２を閉塞する蓋体３５が取り付けられる。つまり、上述したように、カバー部材３の一対の保持溝３３に３つの光源部２が装着された後、カバー部材３の両端を閉塞するように蓋体３５が取り付けられる。このように、カバー部材３の両端にある開口３２に蓋体３５を取り付けることにより、光源部２がカバー部材３から抜け落ちる不具合を防止することができる。
【００３３】
蓋体３５は、透光性および絶縁性を有し、カバー部材３より高い剛性を有する。例えば、蓋体３５は、カバー部材３より剛性の高い材料で形成されても良く、或いはカバー部材３と同程度の剛性を有する材料で形成されても良い。例えば、蓋体３５をカバー部材３と同じ材料で形成する場合、蓋体３５にリブなどの補強構造を設けて、カバー部材３より機械的な剛性を高めれば良い。いずれにしても、蓋体３５は、表面から材料内部まで光拡散性を有する透光性の材料により形成され、カバー部材３と同様に乳白色である。このため、光源部２から放出された光を蓋体３５を介して外部に照射することができる。
【００３４】
また、蓋体３５は、後述する側板６に組み合わされてその位置が規制されるようになっている。さらに、蓋体３５の背面側で装置本体１の端部前面との間には、基板２１の端部と点灯回路４とを接続する配線Ｚが存在する。基板２１の端部から導出する配線Ｚは、点灯装置４に至るまでに装置本体１の端部を経由しなければならないが、配線Ｚの前面の蓋体３５が光を伝導するので光るため、装置本体の端部に存在する配線Ｚの存在が目立たなくなる。
【００３５】
ここで、図３及び図５を参照して、それぞれ３つの光源部２を保持したカバー部材３を装置本体１へ取り付ける方法について説明する。  
カバー部材３を装置本体１に取り付ける場合、まず、断面略コ字状の一対の係止部３４のうち、装置本体１の短手方向外側に位置する係止部３４のコ字状の内面側に、装置本体１の長手方向に沿う端縁部１３を挿入する。そして、センターカバー５に近い内側の係止部３４の外面側をストッパ部材３６によって係止する。
【００３６】
ストッパ部材３６は、鍵状に屈曲形成された金具であり、係止片部３６ａとこの係止片部３６ａと一体に形成された固定片部３６ｂとを有する。また、固定片部３６ｂには、ねじ貫通孔が形成されている。このストッパ部材３６の係止片部３６ａがカバー部材３における係止部３４の外面側に係止され、固定片部３６ｂがそのねじ貫通孔を貫通して装置本体１にねじ込まれる取付ねじ３６ｃによって固定される。
【００３７】
ストッパ部材３６は、図３に示すように、カバー部材３の長手方向に沿って互いに離間して複数個、本実施形態では、３個設けられており、これらストッパ部材３６と装置本体１の端縁部１３によって、カバー部材３の前背方向（図示上下方向）の動きが規制されるようになっている。
【００３８】
このように、カバー部材３を装置本体１に取り付けると、カバー部材３によって保持された各光源部２の背面、すなわち、基板２１の背面がカバー部材３の開放部３１を介して装置本体１の平坦な配設部１２に接触して、複数の光源部２が装置本体１に対して熱的に結合される。換言すれば、カバー部材３は、開放部３１を有しているので、装置本体１の前面側へ突出する配設部１２がこの開放部３１に入り込み、配設部１２と基板２１との熱的結合が可能となる。また、この熱的結合は、カバー部材３の装置本体１への取り付けと同時に行われる。
【００３９】
加えて、装置本体１の前面側へ突出した配設部１２は、その側壁が保持溝３３を形成する背面側支持部３３ｂの背面側へ延出する延出壁３３ｃを嵌合支持するようになっている。このため、カバー部材３は、装置本体１の配設部１２によって短手方向（図５で左右方向）への動きが規制されるようになっている。
【００４０】
図３及び図６に示すように、点灯装置４は、装置本体１の天板部１１の前面側に取り付けられている。点灯装置４は、光源部２を点灯制御するものであり、箱状のケース内に複数個の回路部品を実装した回路基板を収容して構成されている。この点灯装置４は、図示しない商用交流電源に接続されていて、交流を直流に変換して出力する。点灯装置４は、例えば、全波整流回路の出力端子間に平滑コンデンサを接続し、この平滑コンデンサに直流電圧変換回路及び電流検出手段を接続して構成されている。点灯装置４は、基板２１を介して発光素子２２に接続されており、その直流出力を発光素子２２に供給し、発光素子２２を点灯制御する。
【００４１】
また、天板部１１の前面側には、端子台７が取り付けられている。この端子台７には、電源線や送り線、調光信号線等のここでは図示を省略した配線が接続される。点灯装置４は、調光信号に基づいて光源部２を調光する。
【００４２】
図１乃至図６に示すようにセンターカバー５は、装置本体１の天板部１１の前面側に配設されている。センターカバー５は、溶融亜鉛めっき鋼板等の金属製の板材から形成されていて、側面形状がＶ字状をなしている。また、少なくとも表面側には、白色の塗装が施されており、反射板として機能する。
【００４３】
このセンターカバー５の拡開する長手方向に沿う端縁５１（図３参照）には、複数の取付舌片５２が形成されている。一方、この取付舌片５２と対向する装置本体１側には、切り込みによって前面側へ若干膨出変形させて形成した挿入孔１４が形成されている。
【００４４】
センターカバー５は、Ｖ字状の頂部を中心として、拡開する端縁を幅方向に弾性変形させて、拡開する幅寸法を縮小させることが可能となっている。したがって、センターカバー５を装置本体１に取り付ける場合には、センターカバー５を拡開する幅寸法を縮小させるように弾性変形し、取付舌片５２を挿入孔１４の位置に合わせ、弾性変形を解いて元の状態に復帰させる。これにより、取付舌片５２が挿入孔１４に挿入され、センターカバー５が装置本体１に取り付けられる。
【００４５】
このようにセンターカバー５が装置本体１に取り付けられると、ストッパ部材３６の固定片部３６ｂにセンターカバー５の端縁５１が当接される。したがって、例えば、経時的な振動等によってストッパ部材３６の取付ねじ３６ｃに緩みが生じても、ストッパ部材３６の外れや過度な動きを抑制できる。これにより、装置本体１と基板２１との熱的結合の確実化が期待できる。
【００４６】
加えて、点灯装置４や端子台７、配線等は、センターカバー５に覆われ外部からは視認できないようになり、外観を損なうことがない。
【００４７】
側板６は、合成樹脂材料で形成され、装置本体１の長手方向の両端部を閉塞するように取り付けられている。
【００４８】
以上のように構成されたベースライト１００によると、光源部２を保持したカバー部材３を装置本体１に装着するだけで、光源部２の背面、すなわち基板２１の背面を装置本体１の配設部１２に比較的広い面で接触させて熱的に結合させることができる。したがって、組立作業性が良好であるとともに、基板２１の放熱性を向上でき、発光素子２２の温度上昇を抑制することが可能となる。
【００４９】
また、装置本体１の長手方向に沿う端縁部１３は、カバー部材３の係止部３４に挿入されて係止部３４によって覆われるため、端縁部１３に特別な加工を施すことなく、端縁部１３の鋭利性に起因する危険性を回避することができ、組立作業性の安全性を確保することができる。
【００５０】
また、図６に示すように、光源部２を保持したカバー部材３及び点灯装置４を装置本体１の短手方向に並べて配置したため、ベースライト１００の薄型化が実現できた。
【００５１】
また、図５に示すようにカバー部材３の係止部３４は、装置本体１の端縁部１３より外方に延出されるようになっているので、この延出された部位より、発光素子２２から横方向に出射される光の一部が外部に放射されるようになる。さらに、発光素子２２から長手方向両端部の横方向に出射される光の一部は、透光性の蓋体３５から外部に放射されるようになる。これら外部に放射される光は、天井面Ｃを照射するようになるため、照明の明るさ感を増すことができる。
【００５２】
一方、各発光素子２２が点灯することにより発生する熱は、配線パターン層２１ａに伝わり、主として基板２１の背面側から装置本体１の配設部１２に伝熱され、さらに装置本体１の全体に伝導されて放熱される。これによって、発光素子２２の温度上昇を抑制することができる。
【００５３】
ベースライト１００を点灯させる場合、点灯装置４に電力が供給され、配線Ｚを介して光源部２に直流出力が供給され、基板２１を介して発光素子２２に通電され、各発光素子２２が点灯する。発光素子２２から出射された光は、蛍光体層２３を透過し、乳白色の透光性のカバー部材３を透過して拡散され、主として下方に放射され所定の配光範囲が照明される。
【００５４】
図９は、上述したカバー部材３の長手方向一端を部分的に拡大した部分拡大斜視図であり、図１０は、カバー部材３の端部にある開口３２を塞ぐ蓋体３５を背面側から見た拡大斜視図であり、図１１は、この蓋体３５を前面側から見た拡大斜視図である。
【００５５】
図１０および図１１に示すように、蓋体３５は、カバー部材３の開口３２内に挿入される挿入部分３７を有する。挿入部分３７は、カバー部材３の端部の開口３２の内面の形より僅かにサイズの小さい略同じ形の外面を有する。挿入部分３７の挿入方向基端部には、蓋体３５を開口３２に装着した状態で、カバー部材３の開口３２の縁を当接させる段部３８が設けられている。また、挿入部分３７は、蓋体３５を開口３２に取り付けた状態で、カバー部材３の前面部３ａの内面に接触する湾曲面３９を有する。
【００５６】
一方、図９に示すように、カバー部材３は、その短手方向に沿って湾曲した前面部３ａを有する。前面部３ａは、短手方向中央部が前面側に膨出する方向に湾曲している。前面部３ａの湾曲の度合いは、蓋体３５の挿入部分３７の湾曲面３９の湾曲の度合いより緩やかである。言い換えると、蓋体３５の湾曲面３９は、カバー部材３の前面部３ａより湾曲している。
【００５７】
なお、本実施形態では、蓋体３５をカバー部材３と同じ材料で形成した。つまり、本実施形態の蓋体３５は、ポリカーボネートにより形成した。しかし、カバー部材３の前面部３ａの肉厚が比較的薄いのに比べて、蓋体３５の挿入部分３７の肉厚が比較的厚いため、蓋体３５の挿入部分３７の剛性は、カバー部材３の端部の剛性より高い。また、蓋体３５は、複数のリブなどを有し剛性の高い構造を有する。つまり、カバー部材３の方が蓋体３５の挿入部分３７より弾性変形し易い。
【００５８】
このため、蓋体３５の挿入部分３７をカバー部材３の端部にある開口３２内に挿入すると、蓋体３５の湾曲面３９がカバー部材３の前面部３ａを前面側に膨出させるように押し、カバー部材３の端部の前面部３ａが蓋体３５の湾曲面３９の形状に倣って弾性変形する。つまり、カバー部材３の前面部３ａの内面と蓋体３５の挿入部分３７の湾曲面３９の形状（湾曲度）が異なるため、両者を押し付けた場合、より弾性変形し易い方が剛性の高い方の形に倣って変形することになる。これにより、蓋体３５がカバー部材３の端部にしっかりと取り付けられ、接着剤を必要としないで開口３２が閉塞される。
【００５９】
また、蓋体３５は、図１０に示すように、図示しないコネクタを装着するための装着部４０を備えている。装着部４０は、蓋体３５の背面側の中央に設けられている。この装着部４０に取り付けられるコネクタは、点灯装置４から導出された配線Ｚを基板２１に接続するためのものである。つまり、このコネクタは、配線Ｚの先端に取り付けられたものである。
【００６０】
さらに、蓋体３５は、コネクタに接続した配線Ｚを引き回すための複数の溝部４１、４２を有する。装着部４０に隣接して設けられた溝部４１は、コネクタに近い配線Ｚの部分を挿通して保持するよう機能する。また、他の溝部４２は、蓋体３５の幅方向（図示左右方向）両端に設けられており、点灯装置４に向けて配線Ｚを引き回すために設けられている。つまり、蓋体３５は、センターカバー５を挟んで両側で兼用できる構造を有するため、蓋体３５の取り付け位置に応じて配線Ｚを挿通する溝部４２を選択する。この場合、配線Ｚがセンターカバー５側に向かうように引き回すことで、配線Ｚがベースライト１００の外側から見えてしまう不具合を防止できる。
【００６１】
なお、コネクタを取り付ける装着部４０は、基板２１側のコネクタに対して当該コネクタを正確に位置決めして保持する。つまり、装着部４０にコネクタを取り付けた状態の蓋体３５の挿入部分３７をカバー部材３の端部にある開口３２内に挿入して蓋体３５をカバー部材３に取り付ける動作に連動して、装着部４０のコネクタが基板２１側のコネクタに接続されるようになっている。このため、基板２１に対する配線Ｚの接続動作と蓋体３５の取り付け動作を同時にワンアクションで実施でき、ベースライト１００の組み立て作業を簡素化できる。
【００６２】
以上述べた実施形態の照明器具１００によれば、光源部２を覆うカバー部材３より剛性の高い蓋体３５を採用したため、カバー部材３の端部にある開口３２に蓋体３５を容易且つ確実に取り付けでき、接着剤が不要となる。
【００６３】
なお、上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００６４】
例えば、上述した実施形態では、カバー部材３と蓋体３５を透光性を有する同じ材料で形成した場合について説明したが、少なくとも蓋体３５の挿入部分３７がカバー部材３の端部より高い剛性を有していれば良く、カバー部材３と蓋体３５を異なる材料で形成しても良い。しかし、この場合、カバー部材３を透過する光の見え方と蓋体３５を透過する光の見え方が異なる場合が想定されるため、カバー部材３と蓋体３５を同じ透光性の材料で形成することが望ましい。
【００６５】
また、上述した実施形態では、発光素子２２の一例としてＬＥＤを用いた場合について説明したが、これに限らず、有機ＥＬ等の他の個体発光素子を用いても良い。
【符号の説明】
【００６６】
１…装置本体、２…光源部、３…カバー部材、４…点灯装置、５…センターカバー、６…側板、１２…配設部、２１…基板、２２…発光素子（ＬＥＤ）、３２…開口、３３…カバー部材、３５…蓋体、３７…挿入部分、３９…湾曲面、１００…ベースライト、Ｚ…配線。
【図１】
0005772661.tif 000002
【図２】
0005772661.tif 000003
【図３】
0005772661.tif 000004
【図４】
0005772661.tif 000005
【図５】
0005772661.tif 000006
【図６】
0005772661.tif 000007
【図７】
0005772661.tif 000008
【図８】
0005772661.tif 000009
【図９】
0005772661.tif 000010
【図１０】
0005772661.tif 000011
【図１１】
0005772661.tif 000012